(57)【要約】      （修正有）【課題】広告主への仕事の依頼者と宣伝者の両者に特典を提供できるコースターを提供する。【解決手段】コースター１は、印刷会社から飲食店を介して、飲食店の客に配布される。コースター１の表面には、印刷会社によって、所望のデザインが印刷されている。一方、コースター１の裏面には、宣伝者番号５と、ウェブページのアドレス６と、割引表示７が記載されている。宣伝者番号５は、印刷会社により飲食店ごとに付与された番号である。アドレス６は、印刷会社が開設したウェブページのアドレスである。割引表示７は、客が、印刷会社が開設したウェブページから宣伝者番号５を入力して仕事を依頼した場合には料金を割り引く旨の表示である。【選択図】図１
0003160726.tif 000002
【実用新案登録請求の範囲】
【請求項１】
広告主から宣伝者を介して需要者に配布されるコースターであって、
表面には所望のデザインが施されており、
裏面には、
前記広告主により前記宣伝者ごとに付与された宣伝者番号と、
前記広告主が開設したウェブページのアドレスと、
前記需要者が、前記広告主が開設したウェブページから前記宣伝者番号を入力して仕事を依頼した場合には料金を割り引く旨の割引表示とが記載された
ことを特徴とするコースター。
【請求項２】
広告主である印刷会社から宣伝者を介して需要者に配布されるコースターであって、
表面には、前記印刷会社により所望のデザインが印刷されており、
裏面には、
前記印刷会社により前記宣伝者ごとに付与された宣伝者番号と、
前記印刷会社が開設したウェブページのアドレスと、
前記需要者が、前記印刷会社が開設したウェブページから前記宣伝者番号を入力して仕事を依頼した場合には料金を割り引く旨の割引表示とが記載された
ことを特徴とするコースター。
【請求項３】
広告主から宣伝者を介して需要者に配布されるショップカードであって、
前記広告主により前記宣伝者ごとに付与された宣伝者番号と、
前記広告主が開設したウェブページのアドレスと、
前記需要者が、前記広告主が開設したウェブページから前記宣伝者番号を入力して仕事を依頼した場合には料金を割り引く旨の割引表示とが記載された
ことを特徴とするショップカード。
【請求項４】
広告主から宣伝者を介して需要者に配布される広告媒体であって、
前記広告主により前記宣伝者ごとに付与された宣伝者番号と、
前記広告主が開設したウェブページのアドレスと、
前記需要者が、前記広告主が開設したウェブページから前記宣伝者番号を入力して仕事を依頼した場合には料金を割り引く旨の割引表示とが記載された
ことを特徴とする広告媒体。
【考案の詳細な説明】
【技術分野】
【０００１】
本考案は、コップなどの下に敷かれるコースターに関するものである。
【背景技術】
【０００２】
企業などの広告主は、広告が掲載されたコースターを飲食店などに無償で配布して飲食店で使用してもらうことにより、飲食店に来店する多くの客に宣伝活動を行っていた。
【考案の概要】
【考案が解決しようとする課題】
【０００３】
しかしながら、このような宣伝方法では、コースターに掲載された広告が広告主への仕事の依頼に結び付いたとしても、広告主から飲食店側に何の特典も提供されない。従って、飲食店側は、コースターに広告がある旨を説明することはなかった。そのため、コースターに掲載された広告を客に見てもらえないというおそれがあり、広告の効果が減少するおそれがあった。
【０００４】
本考案が解決しようとする課題は、広告主への仕事の依頼者と宣伝者の両者に特典を与えることができるコースターを提供することにある。
【課題を解決するための手段】
【０００５】
本考案は、前記課題を解決するためになされたもので、請求項１に記載の考案は、広告主から宣伝者を介して需要者に配布されるコースターであって、表面には所望のデザインが施されており、裏面には、前記広告主により前記宣伝者ごとに付与された宣伝者番号と、前記広告主が開設したウェブページのアドレスと、前記需要者が、前記広告主が開設したウェブページから前記宣伝者番号を入力して仕事を依頼した場合には料金を割り引く旨の割引表示とが記載されたことを特徴とするコースターである。
【０００６】
請求項２に記載の考案は、広告主である印刷会社から宣伝者を介して需要者に配布されるコースターであって、表面には、前記印刷会社により所望のデザインが印刷されており、裏面には、前記印刷会社により前記宣伝者ごとに付与された宣伝者番号と、前記印刷会社が開設したウェブページのアドレスと、前記需要者が、前記印刷会社が開設したウェブページから前記宣伝者番号を入力して仕事を依頼した場合には料金を割り引く旨の割引表示とが記載されたことを特徴とするコースターである。
【０００７】
請求項３に記載の考案は、広告主から宣伝者を介して需要者に配布されるショップカードであって、前記広告主により前記宣伝者ごとに付与された宣伝者番号と、前記広告主が開設したウェブページのアドレスと、前記需要者が、前記広告主が開設したウェブページから前記宣伝者番号を入力して仕事を依頼した場合には料金を割り引く旨の割引表示とが記載されたことを特徴とするショップカードである。
【０００８】
さらに、請求項４に記載の考案は、広告主から宣伝者を介して需要者に配布される広告媒体であって、前記広告主により前記宣伝者ごとに付与された宣伝者番号と、前記広告主が開設したウェブページのアドレスと、前記需要者が、前記広告主が開設したウェブページから前記宣伝者番号を入力して仕事を依頼した場合には料金を割り引く旨の割引表示とが記載されたことを特徴とする広告媒体である。
【考案の効果】
【０００９】
本考案によれば、広告主への仕事の依頼者と宣伝者の両者に特典を与えることができるコースターを提供することができる。また、本考案のコースターによれば、広告主への仕事の依頼実績に応じた報酬を宣伝者に与えることができるシステムを容易に実現できる。
【図面の簡単な説明】
【００１０】
【図１】本考案のコースターの一実施例を示す図であり、（ａ）は正面図、（ｂ）は背面図である。
【図２】図１のコースターの配布先とその関係を示す説明図である。
【図３】図２における仕事の依頼処理を示すフローチャートである。
【考案を実施するための形態】
【００１１】
以下、本考案のコースターについて、実施例に基づき詳細に説明する。
【００１２】
図１は、本考案のコースターの一実施例を示す図であり、（ａ）は正面図、（ｂ）は背面図である。本実施例のコースター１は、紙製とされる。コースター１は、正方形の板状に形成されており、その四隅は円弧状に形成されている。コースター１は、たとえば、図２に基づき後述するように、広告主２である印刷会社から、宣伝者３である飲食店を介して需要者４である飲食店３の客に配布される。
【００１３】
コースター１の表面には、印刷会社２によって、所望のデザインが印刷される。図示例では、コースター１の表面に、大小二つの図形が印刷されていると共に文字が印刷されている。コースター１は、広告主である印刷会社２自身により所望のデザインが印刷されることで、広告主の印刷技術やデザイン制作能力などをアピールすることができ、実物の印刷サンプルとしての役割も果たすことになる。
【００１４】
コースター１の裏面には、宣伝者番号（図示例ではコースターＮｏ）５と、ウェブページのアドレス６と、割引表示７とが記載されている。さらに、印刷会社名８、印刷会社２の住所９、印刷会社２の電話番号１０およびＦＡＸ番号１１などが記載されている。
【００１５】
宣伝者番号５は、印刷会社２によって飲食店３ごとに付与される番号であり、適当な桁数の数字や英字などや、それらの組み合わせにより表わされる。宣伝者番号５は、飲食店３を示すものであり、一の飲食店３に配布される複数枚のコースター１には、全て同一の宣伝者番号５が記載されている。図示例では、宣伝者番号５は、４桁の数字である「１９０１」とされている。
【００１６】
宣伝者番号５は、コースター１の裏面に直接印刷してもよいが、本実施例では、宣伝者番号５が印刷された粘着テープ１２をコースター１の裏面に貼り付けている。これにより、宣伝者番号５以外の表示を印刷しておいた複数枚のコースター１の内、一の飲食店３に配布する枚数分にだけ、宣伝者番号５付きの粘着テープ１２を貼り付けることで、一の飲食店３に配布される複数枚のコースター１を作成することができる。
【００１７】
アドレス６は、印刷会社２が開設したウェブページのアドレスであり、コースター１の裏面に、「ｈｔｔｐ：／／ｗｗｗ．□□□-□□□．ｃｏｍ」と印刷されている。これに加えて、コースター１の裏面には、印刷会社２が開設したウェブページのアドレスを含む二次元コードが印刷されていてもよい。
【００１８】
割引表示７は、飲食店３の客４が、印刷会社２が開設したウェブページから宣伝者番号５を入力して仕事を依頼した場合に料金を割り引く旨の表示である。図示例では、「ご注文時に下記コースターＮｏを備考欄にご入力下さい。お買い上げ合計金額より１０００円ＯＦＦさせて頂きます。」と印刷されている。コースター１に割引表示７を記載することで、飲食店３の客４に印刷会社２へ仕事を依頼する動機付けとして働く。
【００１９】
図２は、本実施例のコースターの配布先とその関係を示す説明図である。また、図３は、図２における仕事の依頼処理を示すフローチャートである。
【００２０】
コースター１は、複数枚（たとえば５枚）を一組としており、一組以上が印刷会社２から飲食店３に提供される。そして、飲食店３において、飲み物を提供する際にコースター１が使用される。その際、飲食店３側は、客４に対して、コースター１の裏面側に案内がある旨を説明する。このようにして、コースター１は、印刷会社２から飲食店３を介して、飲食店３の客４に配布される。コースター１を持ち帰った客４が印刷会社２に仕事を依頼する場合には、図３に示すような依頼処理がなされる。
【００２１】
具体的には、まず、コースター１に記載されたウェブページのアドレス６を、客側端末装置（たとえばパーソナルコンピュータ）の画面上に表示される入力欄に直接入力して、印刷会社側の管理サーバにウェブページを要求する（Ｓ１）。これを受けて、管理サーバは、ウェブページを客側端末装置に送信する（Ｓ１１）。これにより、客側端末装置の画面上に、ウェブページが表示される。なお、コースター１に二次元コードが記載されている場合には、二次元コードをカメラ機能付きの携帯電話で読み取り、ウェブページに接続することができる。
【００２２】
そして、ウェブページに設けられた仕事依頼ボタンをクリックして、客側端末装置から管理サーバに、依頼者名や連絡先などの依頼者情報、宣伝者番号５および依頼内容を含む仕事依頼情報を入力させる仕事依頼画面を要求する（Ｓ２）。これを受けて、管理サーバは、仕事依頼画面を客側端末装置に送信する（Ｓ１２）。これにより、客側端末装置の画面上に、仕事依頼画面が表示される。そして、仕事依頼画面において、仕事依頼情報を入力して、管理サーバに送信する（Ｓ３）。
【００２３】
仕事依頼情報を受信した管理サーバは、その記憶部に予め、飲食店名や住所などと宣伝者番号５とを対応付けた情報を含む飲食店情報が保存されており、受信した宣伝者番号５と保存しておいた宣伝者番号５とが一致するか否かを確認する（Ｓ１３）。一致しない場合には、その旨を表示する（Ｓ１６）。一方、一致した場合には、依頼が完了した旨を通知して、管理サーバ側のプリンターにて飲食店３の宛先ラベルを印刷する（Ｓ１４，Ｓ１５）。
【００２４】
以上のような手続きで印刷会社２へ仕事を依頼した場合には、料金が割り引かれる。一方、印刷会社２から飲食店３に対しては、前述した宛名ラベルを用いて、プリペイドカードや商品券などが郵送される。このようにして、依頼者４と宣伝者３の両者に、広告主２から特典が提供される。
【００２５】
前記実施例では、広告主２から宣伝者３を介して需要者４に配布されるものをコースター１としたが、これに限定されるものではなく、適宜変更可能である。たとえば、ショップカードとしてもよい。ショップカードは、店舗を紹介するためのカードであり、店員から来店客に直接手渡される。
【００２６】
ショップカードの配布について、美容院を例にとって説明する。美容院側は、顧客の氏名や連絡先などの顧客情報を少しでも多く入手したい。そこで、ショップカードを顧客に手渡して、ショップカードを知人に渡してもらうように依頼し、その知人が来店してくれた場合には、その人数に応じて次回の料金を割り引く旨を伝えておく。これにより、知人を紹介してもらえるようにしている。そして、来店者がどの人からの紹介かを確認するために、ショップカードに記載された宣伝者番号と紹介者である顧客とを対応付けておく必要があるため、顧客情報を教えてくれるようお願いする。従って、ショップカードは、広告主である美容院から宣伝者である顧客を介して、需要者である顧客の知人ないし当該顧客と直接知人でない者に配布することができる。
【００２７】
ショップカードを配布された人が、携帯電話などの端末装置を用いて美容院のウェブページに接続後、そのウェブページから宣伝者番号を入力して来店日時を予約することで、ショップカードに記載したとおり、料金が割り引かれる。一方、宣伝者である顧客に対しては、前述したように、次回の料金を割り引くという特典が提供される。なお、来店日時を予約する際の処理は、前記実施例の依頼処理と同様である。
【００２８】
また、広告主から宣伝者を介して需要者に配布されるものとして、チラシ、ビラ、団扇、ポケットティッシュ、風船、絆創膏などの有体物からなる広告媒体が挙げられる。
【００２９】
広告媒体は、広告主から宣伝者に渡され、宣伝者が街頭に立って、需要者である道行く人に配布する。そして、広告媒体を配布された人が、携帯電話などの端末装置を用いて広告主のウェブページに接続後、そのウェブページから宣伝者番号を入力して広告主へ仕事を依頼することで、広告媒体に記載したとおり、料金が割り引かれる。一方、宣伝者に対しては、広告主からプリペイドカードや商品券などが贈られる。なお、この場合の依頼処理は、前記実施例の依頼処理と同様である。
【符号の説明】
【００３０】
１  コースター
２  印刷会社（広告主）
３  飲食店（宣伝者）
４  客（需要者）
５  宣伝者番号
６  アドレス
７  割引表示
【図１】
0003160726.tif 000003
【図２】
0003160726.tif 000004
【図３】
0003160726.tif 000005
【手続補正書】
【提出日】平成22年1月20日(2010.1.20)
【手続補正１】
【補正対象書類名】実用新案登録請求の範囲
【補正対象項目名】全文
【補正方法】変更
【補正の内容】
【実用新案登録請求の範囲】
【請求項１】
広告主から宣伝者を介して需要者に配布される板状に形成されたコースターであって、
表面にはデザイン表示部が形成され、このデザイン表示部に所望のデザインが施されており、
裏面には、
宣伝者番号記載欄と、アドレス記載欄と、割引表示記載欄とが形成されて、
前記宣伝者番号記載欄には、前記広告主により前記宣伝者ごとに付与された宣伝者番号が表示され、
前記アドレス記載欄には、前記広告主が開設したウェブページのアドレスが表示され、
前記割引表示記載欄には、前記需要者が、前記広告主が開設したウェブページから前記宣伝者番号を入力して仕事を依頼した場合には料金を割り引く旨の割引表示が記載される
ことを特徴とするコースター。
【請求項２】
広告主である印刷会社から宣伝者を介して需要者に配布される板状に形成されたコースターであって、
表面にはデザイン表示部が形成され、このデザイン表示部に前記印刷会社により所望のデザインが印刷されており、
裏面には、
宣伝者番号記載欄と、アドレス記載欄と、割引表示記載欄とが形成されて、
前記宣伝者番号記載欄には、前記印刷会社により前記宣伝者ごとに付与された宣伝者番号が表示され、
前記アドレス記載欄には、前記印刷会社が開設したウェブページのアドレスが表示され、
前記割引表示記載欄には、前記需要者が、前記印刷会社が開設したウェブページから前記宣伝者番号を入力して仕事を依頼した場合には料金を割り引く旨の割引表示が記載される
ことを特徴とするコースター。
【請求項３】
広告主から宣伝者を介して需要者に配布される板状に形成されたショップカードであって、
宣伝者番号記載欄と、アドレス記載欄と、割引表示記載欄とが形成されて、
前記宣伝者番号記載欄には、前記広告主により前記宣伝者ごとに付与された宣伝者番号が表示され、
前記アドレス記載欄には、前記広告主が開設したウェブページのアドレスが表示され、
前記割引表示記載欄には、前記需要者が、前記広告主が開設したウェブページから前記宣伝者番号を入力して仕事を依頼した場合には料金を割り引く旨の割引表示が記載される
ことを特徴とするショップカード。
【請求項４】
広告主から宣伝者を介して需要者に配布されるチラシやビラなどの有体物からなる板状に形成された広告媒体であって、
宣伝者番号記載欄と、アドレス記載欄と、割引表示記載欄とが形成されて、
前記宣伝者番号記載欄には、前記広告主により前記宣伝者ごとに付与された宣伝者番号が表示され、
前記アドレス記載欄には、前記広告主が開設したウェブページのアドレスが表示され、
前記割引表示記載欄には、前記需要者が、前記広告主が開設したウェブページから前記宣伝者番号を入力して仕事を依頼した場合には料金を割り引く旨の割引表示が記載される
ことを特徴とする広告媒体。
【手続補正２】
【補正対象書類名】明細書
【補正対象項目名】０００５
【補正方法】変更
【補正の内容】
【０００５】
本考案は、前記課題を解決するためになされたもので、請求項１に記載の考案は、広告主から宣伝者を介して需要者に配布される板状に形成されたコースターであって、表面にはデザイン表示部が形成され、このデザイン表示部に所望のデザインが施されており、裏面には、宣伝者番号記載欄と、アドレス記載欄と、割引表示記載欄とが形成されて、前記宣伝者番号記載欄には、前記広告主により前記宣伝者ごとに付与された宣伝者番号が表示され、前記アドレス記載欄には、前記広告主が開設したウェブページのアドレスが表示され、前記割引表示記載欄には、前記需要者が、前記広告主が開設したウェブページから前記宣伝者番号を入力して仕事を依頼した場合には料金を割り引く旨の割引表示が記載されることを特徴とするコースターである。
【手続補正３】
【補正対象書類名】明細書
【補正対象項目名】０００６
【補正方法】変更
【補正の内容】
【０００６】
請求項２に記載の考案は、広告主である印刷会社から宣伝者を介して需要者に配布される板状に形成されたコースターであって、表面にはデザイン表示部が形成され、このデザイン表示部に前記印刷会社により所望のデザインが印刷されており、裏面には、宣伝者番号記載欄と、アドレス記載欄と、割引表示記載欄とが形成されて、前記宣伝者番号記載欄には、前記印刷会社により前記宣伝者ごとに付与された宣伝者番号が表示され、前記アドレス記載欄には、前記印刷会社が開設したウェブページのアドレスが表示され、前記割引表示記載欄には、前記需要者が、前記印刷会社が開設したウェブページから前記宣伝者番号を入力して仕事を依頼した場合には料金を割り引く旨の割引表示が記載されることを特徴とするコースターである。
【手続補正４】
【補正対象書類名】明細書
【補正対象項目名】０００７
【補正方法】変更
【補正の内容】
【０００７】
請求項３に記載の考案は、広告主から宣伝者を介して需要者に配布される板状に形成されたショップカードであって、宣伝者番号記載欄と、アドレス記載欄と、割引表示記載欄とが形成されて、前記宣伝者番号記載欄には、前記広告主により前記宣伝者ごとに付与された宣伝者番号が表示され、前記アドレス記載欄には、前記広告主が開設したウェブページのアドレスが表示され、前記割引表示記載欄には、前記需要者が、前記広告主が開設したウェブページから前記宣伝者番号を入力して仕事を依頼した場合には料金を割り引く旨の割引表示が記載されることを特徴とするショップカードである。
【手続補正５】
【補正対象書類名】明細書
【補正対象項目名】０００８
【補正方法】変更
【補正の内容】
【０００８】
さらに、請求項４に記載の考案は、広告主から宣伝者を介して需要者に配布されるチラシやビラなどの有体物からなる板状に形成された広告媒体であって、宣伝者番号記載欄と、アドレス記載欄と、割引表示記載欄とが形成されて、前記宣伝者番号記載欄には、前記広告主により前記宣伝者ごとに付与された宣伝者番号が表示され、前記アドレス記載欄には、前記広告主が開設したウェブページのアドレスが表示され、前記割引表示記載欄には、前記需要者が、前記広告主が開設したウェブページから前記宣伝者番号を入力して仕事を依頼した場合には料金を割り引く旨の割引表示が記載されることを特徴とする広告媒体である。
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
広告主から宣伝者を介して需要者に配布される板状に形成されたコースターであって、
表面にはデザイン表示部が形成され、このデザイン表示部に所望のデザインが印刷されており、
裏面には、
前記広告主により前記宣伝者ごとに付与された宣伝者番号が記入される宣伝者番号記載欄と、
前記広告主が開設したウェブページのアドレスが記載されたアドレス記載欄と、
前記需要者が、前記広告主が開設したウェブページから前記宣伝者番号を入力して仕事を依頼した場合には料金を割り引く旨の割引表示が記載された割引表示記載欄とが印刷されている
ことを特徴とするコースター。
【請求項２】
広告主である印刷会社から宣伝者を介して需要者に配布される板状に形成されたコースターであって、
表面にはデザイン表示部が形成され、このデザイン表示部に前記印刷会社により所望のデザインが印刷されており、
裏面には、
前記印刷会社により前記宣伝者ごとに付与された宣伝者番号が記入される宣伝者番号記載欄と、
前記印刷会社が開設したウェブページのアドレスが記載されたアドレス記載欄と、
前記需要者が、前記印刷会社が開設したウェブページから前記宣伝者番号を入力して仕事を依頼した場合には料金を割り引く旨の割引表示が記載された割引表示記載欄とが印刷されている
ことを特徴とするコースター。
【請求項３】
広告主から宣伝者を介して需要者に配布される板状に形成されたショップカードであって、
表面又は裏面には、
前記広告主により前記宣伝者ごとに付与された宣伝者番号が記入される宣伝者番号記載欄と、
前記広告主が開設したウェブページのアドレスが記載されたアドレス記載欄と、
前記需要者が、前記広告主が開設したウェブページから前記宣伝者番号を入力して仕事を依頼した場合には料金を割り引く旨の割引表示が記載された割引表示記載欄とが印刷されている
ことを特徴とするショップカード。
【請求項４】
広告主から宣伝者を介して需要者に配布されて広告媒体として使用される板状に形成された印刷物であって、
表面又は裏面には、
前記広告主により前記宣伝者ごとに付与された宣伝者番号が記入される宣伝者番号記載欄と、
前記広告主が開設したウェブページのアドレスが記載されたアドレス記載欄と、
前記需要者が、前記広告主が開設したウェブページから前記宣伝者番号を入力して仕事を依頼した場合には料金を割り引く旨の割引表示が記載された割引表示記載欄とが印刷されている
ことを特徴とする印刷物。
【手続補正２】
【補正対象書類名】明細書
【補正対象項目名】０００５
【補正方法】変更
【補正の内容】
【０００５】
本考案は、前記課題を解決するためになされたもので、請求項１に記載の考案は、広告主から宣伝者を介して需要者に配布される板状に形成されたコースターであって、表面にはデザイン表示部が形成され、このデザイン表示部に所望のデザインが印刷されており、裏面には、前記広告主により前記宣伝者ごとに付与された宣伝者番号が記入される宣伝者番号記載欄と、前記広告主が開設したウェブページのアドレスが記載されたアドレス記載欄と、前記需要者が、前記広告主が開設したウェブページから前記宣伝者番号を入力して仕事を依頼した場合には料金を割り引く旨の割引表示が記載された割引表示記載欄とが印刷されていることを特徴とするコースターである。
【手続補正３】
【補正対象書類名】明細書
【補正対象項目名】０００６
【補正方法】変更
【補正の内容】
【０００６】
請求項２に記載の考案は、広告主である印刷会社から宣伝者を介して需要者に配布される板状に形成されたコースターであって、表面にはデザイン表示部が形成され、このデザイン表示部に前記印刷会社により所望のデザインが印刷されており、裏面には、前記印刷会社により前記宣伝者ごとに付与された宣伝者番号が記入される宣伝者番号記載欄と、前記印刷会社が開設したウェブページのアドレスが記載されたアドレス記載欄と、前記需要者が、前記印刷会社が開設したウェブページから前記宣伝者番号を入力して仕事を依頼した場合には料金を割り引く旨の割引表示が記載された割引表示記載欄とが印刷されていることを特徴とするコースターである。
【手続補正４】
【補正対象書類名】明細書
【補正対象項目名】０００７
【補正方法】変更
【補正の内容】
【０００７】
請求項３に記載の考案は、広告主から宣伝者を介して需要者に配布される板状に形成されたショップカードであって、表面又は裏面には、前記広告主により前記宣伝者ごとに付与された宣伝者番号が記入される宣伝者番号記載欄と、前記広告主が開設したウェブページのアドレスが記載されたアドレス記載欄と、前記需要者が、前記広告主が開設したウェブページから前記宣伝者番号を入力して仕事を依頼した場合には料金を割り引く旨の割引表示が記載された割引表示記載欄とが印刷されていることを特徴とするショップカードである。
【手続補正５】
【補正対象書類名】明細書
【補正対象項目名】０００８
【補正方法】変更
【補正の内容】
【０００８】
さらに、請求項４に記載の考案は、広告主から宣伝者を介して需要者に配布されて広告媒体として使用される板状に形成された印刷物であって、表面又は裏面には、前記広告主により前記宣伝者ごとに付与された宣伝者番号が記入される宣伝者番号記載欄と、前記広告主が開設したウェブページのアドレスが記載されたアドレス記載欄と、前記需要者が、前記広告主が開設したウェブページから前記宣伝者番号を入力して仕事を依頼した場合には料金を割り引く旨の割引表示が記載された割引表示記載欄とが印刷されていることを特徴とする印刷物である。
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
広告主から宣伝者を介して需要者に配布される板状に形成されたコースターであって、
表面にはデザイン表示部が形成され、このデザイン表示部に所望のデザインが印刷されており、
裏面には、
前記広告主により前記宣伝者ごとに付与された宣伝者番号が記入される宣伝者番号記載欄と、
前記広告主が開設したウェブページのアドレスが記載されたアドレス記載欄と、
前記需要者が、前記広告主が開設したウェブページから前記宣伝者番号を入力して仕事を依頼した場合には料金を割り引く旨の割引表示が記載された割引表示記載欄とが印刷されている
ことを特徴とするコースター。
【請求項２】
広告主である印刷会社から宣伝者を介して需要者に配布される板状に形成されたコースターであって、
表面にはデザイン表示部が形成され、このデザイン表示部に前記印刷会社により所望のデザインが印刷されており、
裏面には、
前記印刷会社により前記宣伝者ごとに付与された宣伝者番号が記入される宣伝者番号記載欄と、
前記印刷会社が開設したウェブページのアドレスが記載されたアドレス記載欄と、
前記需要者が、前記印刷会社が開設したウェブページから前記宣伝者番号を入力して仕事を依頼した場合には料金を割り引く旨の割引表示が記載された割引表示記載欄とが印刷されている
ことを特徴とするコースター。
【請求項３】
広告主から宣伝者を介して需要者に配布される板状に形成されたショップカードであって、
表面又は裏面のいずれか一方には、
前記広告主により前記宣伝者ごとに付与された宣伝者番号が記入される宣伝者番号記載欄と、
前記広告主が開設したウェブページのアドレスが記載されたアドレス記載欄と、
前記需要者が、前記広告主が開設したウェブページから前記宣伝者番号を入力して仕事を依頼した場合には料金を割り引く旨の割引表示が記載された割引表示記載欄とが印刷されている
ことを特徴とするショップカード。
【請求項４】
広告主から宣伝者を介して需要者に配布されて広告媒体として使用される板状に形成された印刷物であって、
表面又は裏面のいずれか一方には、
前記広告主により前記宣伝者ごとに付与された宣伝者番号が記入される宣伝者番号記載欄と、
前記広告主が開設したウェブページのアドレスが記載されたアドレス記載欄と、
前記需要者が、前記広告主が開設したウェブページから前記宣伝者番号を入力して仕事を依頼した場合には料金を割り引く旨の割引表示が記載された割引表示記載欄とが印刷されている
ことを特徴とする印刷物。
【手続補正２】
【補正対象書類名】明細書
【補正対象項目名】０００７
【補正方法】変更
【補正の内容】
【０００７】
請求項３に記載の考案は、広告主から宣伝者を介して需要者に配布される板状に形成されたショップカードであって、表面又は裏面のいずれか一方には、前記広告主により前記宣伝者ごとに付与された宣伝者番号が記入される宣伝者番号記載欄と、前記広告主が開設したウェブページのアドレスが記載されたアドレス記載欄と、前記需要者が、前記広告主が開設したウェブページから前記宣伝者番号を入力して仕事を依頼した場合には料金を割り引く旨の割引表示が記載された割引表示記載欄とが印刷されていることを特徴とするショップカードである。
【手続補正３】
【補正対象書類名】明細書
【補正対象項目名】０００８
【補正方法】変更
【補正の内容】
【０００８】
さらに、請求項４に記載の考案は、広告主から宣伝者を介して需要者に配布されて広告媒体として使用される板状に形成された印刷物であって、表面又は裏面のいずれか一方には、前記広告主により前記宣伝者ごとに付与された宣伝者番号が記入される宣伝者番号記載欄と、前記広告主が開設したウェブページのアドレスが記載されたアドレス記載欄と、前記需要者が、前記広告主が開設したウェブページから前記宣伝者番号を入力して仕事を依頼した場合には料金を割り引く旨の割引表示が記載された割引表示記載欄とが印刷されていることを特徴とする印刷物である。